(57)【要約】      （修正有）【課題】省資源、シンプルで安価、ランニングコストの低い超省エネ型灯具を提供する。【解決手段】ＦＣＬ３０蛍光管のバラストとして「１００Ｖ．９５Ｗ．」の市販の白熱灯を用いたハイブリッド点灯方式は、効率７５％を少し切るが、軽量化（省資源）効果抜群である。ＦＣＬ４０蛍光管と従来のＦＣＬ３０型灯具の安定器と１１μＦのコンデンサーとを組み合わせた「変則定電流回路」点灯方式の効率は８５％位で、省エネ効果抜群である。これらを合体した。軽量化効果の大きいＦＣＬ３０「ハイブリッド」点灯方式と高効率化効果の大きいＦＣＬ４０「変則定電流回路」による点灯方式を合体させることによって、地球環境に優しく、一般的な家庭の、家計にも優しい灯具を提案出来た。【選択図】図１
0003153174.tif 000002
【実用新案登録請求の範囲】
【請求項１】
天板兼反射板（１３）の下面中心に、ＦＣＬ３０蛍光管の入力制限用白熱灯を下向きに設け、そのすぐ外側の、白熱灯を中心とした同心円上にＦＣＬ３０蛍光管、ＦＣＬ４０蛍光管を順に配置して構成した軽量ペンダント蛍光灯具。
【請求項２】
「請求項１」の灯具に於いて、ＦＣＬ３０蛍光管の入力制限抵抗として「１００Ｖ．９５ワット」程度の市販の白熱灯を用いた灯具。
【請求項３】
「請求項１」の灯具に於いて、ＦＣＬ３０蛍光管の点灯管回路（１７）の中途に、蓄光材料等で作られた小型でキュートな外観の、押圧した時間だけＯＮとなるスプリングバック式スイッチ（９）をペンダント状に設けた灯具。
【請求項４】
「請求項１」の灯具に於いて、ＦＣＬ４０蛍光管の点灯回路の電磁コイル（Ｌ）として、従来型灯具のＦＣＬ３０蛍光管点灯用「安定器」と同程度以上、ＦＬ２０蛍光管点灯用の「安定器」と同等以下、のインダクタンスを持つ電磁コイルを採用した灯具。
【請求項５】
「請求項１」の灯具に於いて、ＦＣＬ４０蛍光管点灯回路のコンデンサー（Ｃ）として、その容量が、１１±１．５マイクロファラッド（μＦ）の範囲内で、耐圧２５０Ｖ．ＡＣ．のコンデンサーを採用した灯具。
【請求項６】
「請求項１」の灯具に於いて、ＦＣＬ４０蛍光管の管外周に適宜、小型軽量のフェーライト磁石（１２）を着脱自在に取り付けた灯具。
【考案の詳細な説明】
【考案の詳細な説明】
【技術分野】
【０００１】  民生用照明灯
【背景技術】
【０００２】  家庭用ペンダント灯の現行主流は高効率のインバーター式蛍光灯であるが、回路複雑、部品多数で、希少金属材料等の資源上の問題もあると言われる。
「実願２００７−５３９７」；「ハイブリッド軽量ペンダント灯」乃至「実願２００７−８５５１」；「「陽連環」付蛍光管を用いた「ハイブリッド軽量蛍光灯」」に代表される、白熱灯を入力制限抵抗とする蛍光灯は、回路極めてシンプルで軽量化効果抜群であり、点灯すれば回路の力率は１．０となり蛍光管の輝度が高い。但し、「実願２００７−８５５１」に記載の点灯促進用「陽連環」等の、近接導体効果の助け無しには点灯しない。また、白熱灯の熱損失は負荷電流の２乗にに比例するからエネルギー効率の実用上の下限を７５％とすると、「ハイブリッド」点灯方式は３０型蛍光管までしか適用できない。
「実願２００７−６５１０」；「点灯性を補償した軽量蛍光灯具」及び「実願２００８−１６９９」；「ループターン回路の蛍光灯」には、上記ＦＣＬ３２及びＦＣＬ４０蛍光管のエネルギー効率の改善策として、出来るだけインダクタンスを節約した軽量の電磁コイル（Ｌ）と、コンデンサー（Ｃ）を組
0003153174.tif 000003
効率８０％以上を確保する家庭用ペンダント蛍光灯を提案している。
此の様に灯具の軽量化と高効率化はなかなか両立せず、特にＦＣＬ３２蛍光管は、長期の試用実績から、それらの選択分岐点付近にあると考えられ、問題が多い。
（注）正規の「定電流回路」は（Ｌ）と（Ｃ）が共振関係であるが、＊印では（Ｃ）が１／２。
【考案が解決しようとする課題】
【０００３】  「ハイブリッド」方式にしたＦＣＬ３０蛍光管灯は、若干エネルギー効率が低いが、軽量化の貢献度大で、加勢灯として好適である。バラストの白熱灯の光を徹底活用する。
「ハイブリッド」方式のＦＣＬ３２蛍光管灯は軽いが、エネルギー効率悪く、常用灯には勿論加勢灯にも不適当で、短時間用途の臨時加勢灯にしか使えない。しかも、臨時加勢灯は、他の２灯の点灯によって、既に線路電圧降下中の点灯となり、その時、電源電圧低下が重なっていれば、点灯の確実性に乏しい。さりとて、ＦＣＬ４０と同じく、電磁コイルとコンデンサーを取り付け、「変則定電流回路」方式にすると灯具は重くなり、「軽量蛍光灯」とは言えなくなる。
「変則定電流回路」方式は、入力電流を減少させるほどエネルギー効率が向上することが実証されているので、最低電流を一定とすれば、ＦＣＬ４０蛍光管に比べ管長の短いＦＣＬ３２蛍光管は照度に於いて不利である。常用灯のエネルギー効率は省エネ効果を大きく左右するから、重量的犠牲を払って「変則定電流回路」方式の、常用灯にするからには、ＦＣＬ４０型蛍光管等の長大管を用いた方が有利である。
ＦＣＬ３０，３２，４０，各蛍光管を一つの白熱灯を中心にして同心円状に「３重連」に配置した灯具では各蛍光管同士が接近し過ぎ、相互干渉により、点灯性を阻害されることも否定出来なくなった。
ＦＣＬ４０蛍光管の点弧（初期放電）には２００Ｖ．の電圧が必要である。「実願２００７−６５１０」；「点灯性を補償した軽量蛍光灯具」、即ち前記の「変則定電流回路」、によって初めて１００Ｖ．６０Ｈｚ．の電源での点灯に成功し、比較的軽量の高エネルギー効率の灯具が実現した。当初は点灯促進用「陽連環」等の近接導体効果の助けを借りていたが、長期試用試験終了後、蛍光管を新しく交換した際「陽連環」を装着することなく点灯可能であることが判明した。但し５０Ｈｚ．での点灯試験はしていない。
ＦＣＬ４０蛍光管による常用灯の、目下の問題は、管端の「黒ずみ」発生と、電磁コイルを軽量化しているため、配電線を伝播して来る電源電圧や周波数の異常変動等、外部由来の「チラツキ」を発生し易いことだけである。
この種照明灯は稼動時間が長く、家庭内に於ける電力消費の筆頭であることが多いから、自動的に無駄を排除出来る方策を徹底する必要がある。
【課題を解決するための手段】
【０００４】  ＦＣＬ３０用白熱灯はその光を活用するため、灯具の中心に下向きに取り付けた。
白熱灯の定格出力が大きいと電流が増えエネルギー効率が低下し、小さいと点灯不能になる。電源１００Ｖ．５０／６０Ｈｚ．の場合、定格１００Ｖ．９５Ｗ．の市販の白熱灯が適当である。
長期使用試験の結果を反映し、本案では、上記の通り何かと問題が多く、使用頻度の少ないＦＣＬ３２蛍光管による臨時加勢灯を廃止し、２連のペンダント灯とした。
ＦＣＬ４０等長大蛍光管の１００Ｖ．電源に於ける点灯性は、「実願２００７−６５１０」記載の「変則定電流回路」により格段に向上し、また、「実願２００８−１６９９」；「ループターン回路の蛍光灯」により、その構成要素である電磁コイルの（Ｌ），コンデンサーの（Ｃ），回流路のインダクターの（ｌ）を肌理細かく調整し、「入力電流≒回流路の負荷電流」とすることで、放電電圧が高く、安定して作動する様にした結果、そのエネルギー効率は、時に８５％の高率を記録するまでになった。
目下の問題「黒ずみ」発生の原因は２つ考えられ、点灯初期の突入電流過多（原因は電磁コイルのインダクタンス（Ｌ）又は回流路のインダクターのインダクタンス（ｌ）の過少）、と点弧失敗（初期放電が一発点灯に繋がらず二度、三度と繰り返す。原因はインダクタンス（Ｌ）や（ｌ）の過少又は過多。）である。対策は電磁コイル（Ｌ）とインダクター（ｌ）の適正化に、加えて、回流路の途中に温度上昇に伴って抵抗を減ずるサーミスター（Ｔ）を設ける。
長期試用試験結果、１００Ｖ．６０Ｈｚの電源で点灯させるＦＣＬ４０蛍光管に対し、（Ｌ）の下限は、０．３ヘンリー、上限は０．５ヘンリーで、これを従来型蛍光灯具の「安定器」で言えば、下限は、ＦＣＬ３０用安定器（０．３５ヘンリー）が近く、上限はＦＬ２０用安定器に相当する。但し、５０Ｈｚの電源で使用する灯具の（Ｌ）の値は、それぞれ１．２倍になる。
「「陽連環」付蛍光管」にすれば、（Ｌ）の過不足をカバーして如何なる時にも点灯性を改善するので、「黒ずみ」発生防止のスーパー対策とも言える。
【考案実施の形態】
【０００５】  灯具に従来のロータリー切替えスイッチは無いので、部屋入り口の元スイッチをＯＮにするとベースライトのＦＣＬ４０のみ殆ど瞬時に点灯する。ＴＶ．鑑賞や大まかな仕事はこの明るさで十分である。細密な作業をする時には、ペンダントスイッチ（９）を数秒間押圧して加勢灯（ＦＣＬ３０）を点灯させる。加勢灯のみ消灯するには元スイッチを一瞬ＯＦＦにするか、…これは邪道であるが…灯具中央の白熱灯のソケットのねじ込みを一旦緩めて消灯したら、また締めておく…ことも出来る（回路にリアクタンスが無く電流も少ないので）。
部屋退去時、元スイッチをＯＦＦにすると、全灯消灯する。ここで忘れ物を思い出し、戻って、再点灯すると、一方のＦＣＬ４０のみ瞬時に点灯するから用事を済ませ、元スイッチを切って退出する。此の間、ＦＣＬ３０加勢灯側は点灯しないので節電される。
【実施例】
【０００６】  仕様：蛍光管；ＦＣＬ３０，ＦＣＬ４０各１、点灯管；ＦＧＩＥ，ＦＧ４Ｐ各１、フェライト磁石（１２ｇｒ）、入力制限用白熱灯；１００Ｖ．９５Ｗ．（ＦＣＬ３０用）、電磁コイル；０．３５Ｈ（５００ｇｒ）、インダクター；０．０５Ｈ（２００ｇｒ）、ＡＣコンデンサー；１２．２μＦ，２５０Ｖ．、サーミスター；１０→０Ω
性能；
ＦＣＬ３０側入力；４９Ｗ．（１００Ｖ．，０．５０Ａ．）、出力；３６Ｗ．（蛍光管２９Ｗ．＋電球７Ｗ．）
ＦＣＬ４０側入力；３６Ｗ，（１００Ｖ．，０．３６Ａ．）、出力；３０Ｗ．（蛍光管）
総入力；８５Ｗ．、出力；６６Ｗ．：照度（１ｍ）；３７５Ｌｘ，２００Ｌｘ（１灯）：総重量１７００ｇｒ
【考案の効果】
【０００７】  今回、「実願２００７−５３９７」に記載の「３重連ペンダント灯」を諦め、軽量化効果の最も大きいＦＣＬ３０「ハイブリッド」点灯方式と高効率化効果の最も大きいＦＣＬ４０「変則定電流回路」による点灯方式を合体させることによって、最も地球環境に優しく、一般的な家庭の、家計に最も優しい灯具を提案出来た。長期試用結果、我が家の電気使用量は毎月、前年同月比、数十キロワットアワーの減少を記録し続けている。
ＦＣＬ３０蛍光管には、「実願２００７−８５５１」；「「陽連環」付蛍光管を用いた「ハイブリッド軽量蛍光灯」」を適用するが、常用灯のＦＣＬ４０蛍光管には、電磁コイルのインダクタンス（Ｌ）等が適正であれば、「陽連環」の装着は不要となった。但し、蛍光管の寿命、管端の「黒ずみ」の予防の観点からは、「陽連環」付蛍光管が推奨される。
心配していたコンデンサー（Ｃ）の劣化は、一年試用後も、認められなかった。
ＦＣＬ３２蛍光管を取り除いたので、管球同志の間隔が広く、相互干渉がなくなっただけでなく、白熱灯を中心に等間隔配置となり外観がすっきりした。
回流路には周波数（波長）の異なる少なくとも、３波長の高調波が混在してい
0003153174.tif 000004
来た。更に白熱灯の光も加わるから、反射光の演色性良く、視認性も向上した。
【図面の簡単な説明】
【０００８】
【図１】（ａ）「節電指向の軽量ペンダント灯」を下面から見た外観図である。（ｂ）同電気回路図である。
【符号の説明】
【０００９】  ▲１▼蛍光管  ▲２▼白熱灯  ▲３▼点灯管  ▲４▼スイッチ  ▲５▼引掛プラグ  ▲６▼環  ▲７▼輪環  ▲８▼４穴ソケット（丸形蛍光管用）  ▲９▼ペンダントスイッチ  ▲１１▼接続ピン  ▲１２▼フェライト磁石  ▲１３▼天板兼反射板（１ｔＡＬＰ）  ▲１５▼吊下げコード  ▲１６▼被覆線（２芯）  ▲１７▼リード線（単芯）  ▲１８▼蛍光管保持金物  ▲２０▼傘（シェード）【００１０】（Ｌ）；電磁コイル、またはそのイングクタンス
（ｌ）；回流路のインダクターまたはそのインダクタンス
（Ｃ）；コンデンサーまたはそのキャパシタンス
（Ｔ）；温度上昇で抵抗が減るサーミスター
（Ｄ）；整流ダイオード
（注）＊印は、特許第２７７０９２４号「観賞用独楽」
【図１】
0003153174.tif 000005